(57)【要約】【課題】  ネットワークを介して入力されるコンテンツデータに応じて、接続された表示装置の電源のオンオフを制御することができるコンテンツデータ出力装置を提供する。【解決手段】  入力手段から入力されたコンテンツデータをビデオデータとオーディオデータに分離する分離手段と、分離手段により分離されたビデオデータとオーディオデータをデコードするデコード手段と、分離手段により分離されたビデオデータを検出する検出手段と、検出手段の検出結果に応じて、ビデオ出力手段に接続された表示機器を制御する表示機器制御手段とを備える。【選択図】  図１
2007081764.tif 000002
【特許請求の範囲】
【請求項１】
コンテンツデータを入力する入力手段と、
前記入力手段から入力されたコンテンツデータをビデオデータとオーディオデータに分離する分離手段と、
前記分離手段により分離されたビデオデータとオーディオデータをデコードするデコード手段と、
前記分離手段により分離されたビデオデータを検出する検出手段と、
前記デコード手段によりデコードされたビデオデータを出力するビデオ出力手段と、
前記デコード手段によりデコードされたオーディオデータを出力するオーディオ出力手段と、
前記検出手段の検出結果に応じて、前記ビデオ出力手段に接続された表示機器を制御する表示機器制御手段とを備えることを特徴とするコンテンツデータ出力装置。
【請求項２】
請求項１に記載のコンテンツデータ出力装置において、
前記表示機器制御手段は、前記検出手段がビデオデータを検出すると、表示機器を電源をオンする制御をすることを特徴とするコンテンツデータ出力装置。
【発明の詳細な説明】
【技術分野】
【０００１】
本発明は、コンテンツデータを出力するコンテンツデータ出力装置に関する。
【背景技術】
【０００２】
従来、CD（Compact Disc）等の記録媒体に記録されたビデオデータやオーディオデータを再生する再生部と、再生されたビデオデータを表示する表示部とを備えた映像表示装置がある。この映像表示装置では、再生部で再生する記録媒体がオーディオデータのみが記録された記録媒体であることを識別すると、表示部の電源を自動的にオフすることによって、オーディオデータ再生時の消費電力を節減することができる（例えば、特許文献１参照）。
【０００３】
【特許文献１】特開平９−２３１２７号公報  （請求項５、請求項６）
【発明の開示】
【発明が解決しようとする課題】
【０００４】
特許文献１に開示された映像表示装置において、ネットワークを介して入力されたビデオデータ及びオーディオデータ（以下、コンテンツデータという）を再生する場合、コンテンツデータは、ビデオデータやオーディオデータを多重化したストリームデータとしてネットワークを介して入力される。入力されるコンテンツデータがオーディオデータのみのストリームデータであっても、特許文献１に開示された映像表示装置は、再生部において記録媒体に記録されたデータの再生が行なわれないため、特許文献１に開示されたオーディオデータのみが記録された記録媒体を識別する識別方法では、ネットワークを介して入力されるコンテンツデータがオーディオデータのみであるか否かを識別することができない。
【０００５】
このため、特許文献１に開示された映像表示装置は、ネットワークを介して入力されたコンテンツデータがオーディオデータのみであっても、表示部の電源を自動的にオフすることができない。したがって、ユーザが表示部の電源を手動でオフをしない限り、表示部に電力が供給され電力が消費されるため、オーディオデータ再生時の消費電力を節減することができない。
【０００６】
本発明は、上記の課題を解決するためになされたものであり、ネットワークを介して入力されるコンテンツデータに応じて、表示装置の電源のオンオフを制御することができるコンテンツデータ出力装置を提供することを目的とする。
【課題を解決するための手段】
【０００７】
上記の課題を解決するために、本願の請求項１に記載の発明は、コンテンツデータを入力する入力手段と、前記入力手段から入力されたコンテンツデータをビデオデータとオーディオデータに分離する分離手段と、前記分離手段により分離されたビデオデータとオーディオデータをデコードするデコード手段と、前記分離手段により分離されたビデオデータを検出する検出手段と、前記デコード手段によりデコードされたビデオデータを出力するビデオ出力手段と、前記デコード手段によりデコードされたオーディオデータを出力するオーディオ出力手段と、前記検出手段の検出結果に応じて、前記ビデオ出力手段に接続された表示機器を制御する表示機器制御手段とを備えることを特徴とする。
【０００８】
また、本願の請求項２に記載の発明は、請求項１に記載のコンテンツデータ出力装置において、前記表示機器制御手段は、前記検出手段がビデオデータを検出すると、表示機器を電源をオンする制御をすることを特徴とする。
【発明の効果】
【０００９】
本発明によれば、ネットワークを介して入力されるコンテンツデータに応じて、表示装置の電源のオンオフを制御することができるコンテンツデータ出力装置を提供することができる。
【発明を実施するための最良の形態】
【００１０】
以下、本発明の実施の形態を説明する。
図１は、本発明の一実施例であるコンテンツデータ出力装置の構成を示すブロック図である。図１において、１は入力部、２はデータ分離部、３はビデオデコーダ、４はDAC(Digital to Analog Converter)、５はビデオ出力部、６はオーディオデコーダ、７はDAC、８はオーディオ出力部、９はビデオ検出部、１０は表示機器制御部を示す。
【００１１】
図２は、本発明の一実施例であるコンテンツデータ出力装置を有するシステムの一実施例を示す図である。図２において、１０１は本実施例のコンテンツデータ出力装置、１０２は表示機器、１０３はスピーカ、１０４はネットワーク、１０５は配信サーバを示す。
【００１２】
本実施例のコンテンツデータ出力装置１０１は、ネットワーク１０４に接続されている。表示機器１０２は、テレビやモニター等であり、コンテンツデータ出力装置１０１から入力されるアナログビデオ信号を表示する。スピーカ１０３は、複数のスピーカを有し、コンテンツデータ出力装置１０１から入力されるアナログオーディオ信号を出力する。配信サーバ１０５は、MPEG（Moving Picture Experts Group）方式等により圧縮処理されたコンテンツデータが蓄積された記憶装置を備える。
【００１３】
本実施例のコンテンツデータ出力装置１０１に備えられた図示しない操作部により、配信サーバ１０５に蓄積されたコンテンツデータの中から配信するコンテンツデータを選択する操作がされると、配信サーバ１０５からネットワーク１０４を介して選択されたコンテンツデータの配信が開始される。図１に示す入力部１は、ネットワーク１０４と接続するインターフェイスを備え、ネットワーク１０４を介して配信サーバ１０５から配信されるコンテンツデータを入力する。
【００１４】
データ分離部２は、入力部１から入力されるコンテンツデータのストリームデータに含まれているヘッダの情報からストリームデータの構成を判別する。データ分離部２は、ストリムデータの構成を判別した結果に基づいて、コンテンツデータをビデオストリームデータとオーディオストリームデータに分離する処理をする。分離されたビデオストリームデータは、ビデオデコーダ３及びビデオ検出部９に入力され、分離されたオーディオストリームデータは、オーディオデコーダ６に入力される。
【００１５】
本実施例において、データ分離部２において判別される構成のストリームデータは、ビデオストリームデータとオーディオストリームデータから構成されるストリームデータ、ビデオストリームデータのみから構成されるストリームデータ及びオーディオストリームデータのみから構成されるストリームデータである。
【００１６】
ビデオデコーダ３は、データ分離部２から入力されたビデオストリームデータをデコードする。DAC４は、ビデオデコーダ３によりデコードされたビデオストリームデータをアナログビデオ信号に変換する。このアナログビデオ信号は、ビデオ出力部５を介して表示機器１０２へ出力される。
【００１７】
オーディオデコーダ６は、データ分離部３から入力されたオーディオストリームデータをデコードする。DAC７は、オーディオデコーダ６によりデコードされたオーディオストリームデータをアナログオーディオ信号に変換する。このアナログオーディオ信号は、オーディオ出力部８を介してスピーカ１０３へ出力される。
【００１８】
ビデオ検出部９は、データ分離部２から分離されたビデオストリームデータの有無を検出する。ビデオ検出部９は、ビデオストリームデータが入力され、ビデオストリームデータを検出した場合、ビデオストリームデータが検出されたことを示す検出結果データ（本実施例では「１」）を表示機器制御部１０に出力する。一方、ビデオ検出部は、ビデオストリームデータを検出しない場合、ビデオストリームデータが検出されないことを示す検出結果データ（本実施例では「０」）を表示機器制御部１０に出力する。
【００１９】
ビデオ検出部２は、入力部１からビデオストリームデータとオーディオストリームデータから構成されるコンテンツデータ、または、ビデオストリームデータのみから構成されるコンテンツデータが入力された場合、ビデオストリームデータを検出する。一方、ビデオ検出部２は、入力部１からオーディオストリームデータのみから構成されるコンテンツデータが入力された場合、ビデオストリームデータを検出しない。
【００２０】
表示機器制御部１０は、表示機器１０２の電源をオンオフするための制御信号（例えば、赤外線）を出力する出力部を備える。ビデオ検出部９が検出するビデオストリームデータの検出結果に応じて、表示機器制御部１０は、ビデオ出力部５に接続された表示機器１０２の電源のオンオフを制御する制御信号を出力する。したがって、表示機器制御部１０は、ビデオ出力部５に接続された表示機器１０２の電源のオンオフの制御をすることができる。
【００２１】
ビデオ検出部９から入力される検出結果データが「０」から「１」に変化した場合、すなわち、ビデオ検出部９がビデオストリームデータを検出した場合、表示機器制御部１０は、表示機器１０２の電源をオンする制御信号を出力する。一方、ビデオ検出部９から入力される検出結果データが「１」から「０」に変化した場合、すなわち、ビデオ検出部９により検出されていたビデオストリームデータが検出されなくなった場合、表示機器制御部１０は、表示機器１０２の電源をオフする制御信号を出力する。
【００２２】
次に、表示機器制御部１０が表示機器１０２の電源をオンオフする他の実施例を説明する。表示機器１０２に電力を供給するためのACアウトレットを本実施例のコンテンツデータ出力装置に設け、このACアウトレットと表示機器１０２をコードで接続する。
【００２３】
表示機器制御部１０は、ビデオ検出部９から入力される検出結果データが「１」から「０」になった場合、ACアウトレットから表示機器１０２に供給されている電力を停止させる制御をする。一方、ビデオ検出部９から入力される検出結果データが「０」から「１」になった場合、表示機器制御部１０は、ACアウトレットから表示機器１０２へ電力の供給を開始させる制御をする。
【００２４】
上述した実施例のコンテンツデータ出力装置は、ネットワークを介して配信されるコンテンツデータからビデオストリームデータを検出すると、このビデオストリームデータを表示する表示機器の電源をオンする制御をする。また、ネットワークを介して配信されるコンテンツデータからビデオストリームデータを検出しなくなると、電源をオンする制御をした表示機器の電源をオフする制御をする。
【００２５】
したがって、本実施例のコンテンツデータ出力装置は、ビデオストリームデータを接続された表示機器へ出力しないとき、この表示機器の電源をオフにするので、表示機器において消費される電力を削減することができる。
【図面の簡単な説明】
【００２６】
【図１】本実施例のコンテンツデータ出力装置の構成を示すブロック図。
【図２】本実施例のコンテンツデータ出力装置を有するシステムの一実施例を示す図。
【符号の説明】
【００２７】
１…入力部、２…データ分離部、３…ビデオデコーダ、４…DAC、５…ビデオ出力部、６…オーディオデコーダ、７…DAC、８…オーディオ出力部、９…ビデオ検出部、１０…表示機器制御部、１０１…コンテンツデータ出力装置、１０２…表示機器、１０３…スピーカ、１０４…ネットワーク、１０５…配信サーバ
【図１】
2007081764.tif 000003
【図２】
2007081764.tif 000004